(57)【要約】【課題】使用者の落下を防止しつつ介護が容易な療養用ベッドマットを提供する。【解決手段】療養用ベッドマット21の両側部に設けた一対のクッション材31，32を、胴体ガード部と頭ガード部42と臀ガード部とに分割し、頭ガード部42および臀ガード部の高さを胴体ガード部の高さより大きくする。頭ガード部42および臀ガード部にて療養者の側部からの落下を防止できる。胴体ガード部が介護する人の邪魔になりにくい。胴体ガード部上に療養者が座ってつぶすことにより、療養用ベッドマット21に座りながら入ることができる。療養用ベッドマット21上へ療養者が乗り込みやすい。【選択図】図１
2009061202.tif 000002
【特許請求の範囲】
【請求項１】
使用者の少なくとも頭部、胴体部および臀部を支持する略矩形平板状のマット部と、
このマット部の上面の幅方向の両側部に位置し上方に向けて突出して設けられた一対のクッション部とを具備し、
これら一対のクッション部は、使用者の胴体部を支持する中間部材と、この中間部材の使用者の頭側に位置し使用者の頭部を支持する上側部材と、前記中間部材の使用者の臀側に位置し使用者の臀部を支持する下側部材とを備え、
前記上側部材および下側部材の高さ寸法は、前記中間部材の高さ寸法より大きい
ことを特徴とした療養用ベッドマット。
【請求項２】
一対のクッション部は、前記マット部の硬さをＡとし、前記一対のクッション部の幅方向の中心位置より内側の部分の硬さをＢとし、これら一対のクッション部の幅方向の中心位置より両側の部分の硬さをＣとした場合に、Ｂ＞Ａ＞Ｃの関係に構成されている
ことを特徴とした請求項１記載の療養用ベッドマット。
【発明の詳細な説明】
【技術分野】
【０００１】
本発明は、使用者を支持する療養用ベッドマットに関する。
【背景技術】
【０００２】
従来、医療用などの療養用ベッドとしては、この療養用ベッドに寝ている使用者が寝返りなどして、この療養ベッドの側部から使用者が落下するのを防止するために、この療養用ベッドの両側部に金属製の柵などを設置している。このため、この金属製の柵を移動しなければ、ベッドへの乗り降りが容易ではない。
【０００３】
そこで、この種の療養用ベッドとしては、スポンジや空気の入った袋などの収縮可能なやわらかい素材で、凸状で縦長の棒のように形成された落下防止フェンスを、ベッドの上面の両側部に設置した構成が知られている（例えば、特許文献１参照。）。
【特許文献１】特開２００５−２１６０５号公報
【発明の開示】
【発明が解決しようとする課題】
【０００４】
しかしながら、上記の落下防止フェンスは、スポンジや空気の入った袋などの収縮可能なやわらかい素材であって、全体の高さが均一である。このため、この落下防止フェンスの高さを高くした場合には、落下防止の効果が高くなるが、ベッドに寝ている使用者の介護などが容易ではなくなってしまう。一方、この落下防止フェンスの高さを低くした場合には、ベッドに寝ている使用者の介護が容易になるが、落下防止の効果が低くなってしまうという問題を有している。
【０００５】
本発明は、このような点に鑑みなされたもので、使用者の落下を防止しつつ使用者の介護が容易な療養用ベッドマットを提供することを目的とする。
【課題を解決するための手段】
【０００６】
請求項１記載の療養用ベッドマットは、使用者の少なくとも頭部、胴体部および臀部を支持する略矩形平板状のマット部と、このマット部の上面の幅方向の両側部に位置し上方に向けて突出して設けられた一対のクッション部とを具備し、これら一対のクッション部は、使用者の胴体部を支持する中間部材と、この中間部材の使用者の頭側に位置し使用者の頭部を支持する上側部材と、前記中間部材の使用者の臀側に位置し使用者の臀部を支持する下側部材とを備え、前記上側部材および下側部材の高さ寸法は、前記中間部材の高さ寸法より大きいものである。
【０００７】
請求項２記載の療養用ベッドマットは、請求項１記載の療養用ベッドマットにおいて、一対のクッション部は、前記マット部の硬さをＡとし、前記一対のクッション部の幅方向の中心位置より内側の部分の硬さをＢとし、これら一対のクッション部の幅方向の中心位置より両側の部分の硬さをＣとした場合に、Ｂ＞Ａ＞Ｃの関係に構成されているものである。
【発明の効果】
【０００８】
請求項１記載の療養用ベッドマットによれば、一対のクッション部の高さ寸法が大きな上側部材および下側部材にて使用者の落下を防止できるとともに、これら一対のクッション部の高さ寸法が小さな中間部材を介して使用者の介護が容易にできる。
【０００９】
請求項２記載の療養用ベッドマットによれば、請求項１記載の療養用ベッドマットの効果に加え、一対のクッション部の幅方向の中心位置より内側の部分により使用者の落下を確実に防止できるとともに、これら一対のクッション部の幅方向の中心位置より両側の部分から使用者の介護が容易にできる。
【発明を実施するための最良の形態】
【００１０】
以下、本発明の療養用ベッドマットを設置した療養用ベッドの一実施の形態の構成を図１ないし図３を参照して説明する。
【００１１】
図１ないし図３において、１は療養用ベッドで、この療養用ベッド１は、医療用または介護用のベッドである。そして、この療養用ベッド１は、使用者である療養者Ｐが寝た水平状態となるための平坦なベッド面２を有するベッド本体３を備えている。このベッド本体３は、このベッド本体３を一定の高さに支持する枠体５に取り付けられている。
【００１２】
さらに、このベッド本体３は、療養者Ｐの頭部Ｈを支持する頭支持部としての頭プレート６を備えている。この頭プレート６の療養者Ｐの足側には、療養者Ｐの頭部Ｈから胴体部Ｂまでを支持する上体支持部としての略平板状の背凭れプレート７が回動可能に取り付けられている。
【００１３】
また、この背凭れプレート７の療養者Ｐの足側には、療養者Ｐの臀部Ｒから大腿部Ｔまでを支持する中間支持部としての略平板状の臀プレート８が水平に固定されている。そして、この臀プレート８の療養者Ｐの足側には、療養者Ｐの脛部Ｓから足部Ｆまでを支持する下体支持部としての略平板状の脚載せプレート９が回動可能に取り付けられている。
【００１４】
ここで、臀プレート８は、療養者Ｐの臀部Ｒから大腿部Ｔまでが設置可能な大きさの矩形平板状に形成されており、ベッド本体３の長手方向の中間部に固定されている。
【００１５】
また、背凭れプレート７は、療養者Ｐの胴体部Ｂが設置される大きさの矩形平板状に形成された背凭れ部であって、頭プレート６と臀プレート８との間に取り付けられ、この背凭れプレート７の長さ方向の一端側である療養者Ｐの臀側が、臀プレート８の長さ方向の一端側である療養者Ｐの頭側に回動可能に取り付けられている。
【００１６】
ここで、この背凭れプレート７は、この背凭れプレート７の療養者Ｐの臀側の端部が、この背凭れプレート７の幅方向に沿った回動軸を中心とし、この背凭れプレート７を略水平にした状態から、約９０°の傾斜角度となるまで上方に回動できるように回動可能に取り付けられている。
【００１７】
また、この背凭れプレート７と臀プレート８との間には、この背凭れプレート７を回動操作する上体駆動部としての背凭れ回動機構12が設けられている。
【００１８】
一方、ベッド本体３の脚載せプレート９は、療養者Ｐの脛部Ｓから足部Ｆまでが設置される大きさの矩形平板状に形成された脚載せ部であって、療養者Ｐの脛部Ｓを支持する大きさの矩形平板状の脛支持部としての脛プレート14と、この療養者Ｐの足部Ｆを支持する大きさの矩形平板状の足支持部としての足プレート15とを備えている。
【００１９】
そして、脛プレート14は、この脛プレート14の長さ方向の一端側である臀側が、臀プレート８の長さ方向の他端側ある療養者Ｐの臀側に取り付けられ、この脛プレート14を下方に向けて回動できるように回動可能に構成されている。
【００２０】
ここで、この脛プレート14は、この脛プレート14の療養者Ｐの臀側の端部が、この脛プレート14の幅方向に沿った回動軸を中心とし、この脛プレート14を略水平にした状態から、約９０°の傾斜角度となるまで下方に回動できるように回動可能に取り付けられている。
【００２１】
また、この脛プレート14と臀プレート８との間には、この脛プレート14を回動操作する下体駆動部としての脚載せ回動機構16が設けられている。
【００２２】
さらに、この脛プレート14の長さ方向の他端側である療養者Ｐの足側には、足プレート15の長さ方向の一端側である療養者Ｐの脛側が回動可能に取り付けられている。この足プレート15は、この足プレート15の療養者Ｐの脛側の端部が、この足プレート15の幅方向に沿った回動軸を中心とし、脛プレート14を水平な状態から垂直な状態に回動させる際に、水平な状態が維持されて脛プレート14に対して略垂直な状態になるまで上方に向けて回動できるように回動可能に取り付けられている。
【００２３】
さらに、療養用ベッド１のベッド面２上には、矩形平板状の療養用ベッドマット21が敷かれて設置されて固定されている。この療養用ベッドマット21は、例えばマット材が布材にて覆われて構成された弾性を有するベッドマットであって、上面視でベッド面２と略同じ大きさの細長矩形状に形成されたマット部22を備えている。このマット部22は、ベッド本体３の頭プレート６から背凭れプレート７、臀プレート８および脚載せプレート９までに亘って設置され、療養者Ｐの頭部Ｈから胴体部Ｂ、臀部Ｒ、大腿部Ｔ、脛部Ｓおよび足部Ｆまでを支持する大きさに形成されている。
【００２４】
ここで、このマット部22は、このマット部22の幅方向の中央部の細長矩形状の部分が中央部クッション23として構成され、この中央部クッション23の幅方向の両側部の細長帯状の部分が側面部クッション24，25として構成されている。そして、これら中央部クッション23および側面部クッション24，25のそれぞれは、別個に分割されており、マット部22の長手方向に沿って互いに接触させてベッド面２上に設置されている。
【００２５】
そして、中央部クッション23は、少なくともベッド本体３の背凭れプレート７から臀プレート８および脚載せプレート９までに亘って設置可能な大きさに形成されている。さらに、一対の側面部クッション24，25は、少なくともベッド本体３の頭プレート６から背凭れプレート７および臀プレート８までに亘って設置可能な大きさに形成されている。
【００２６】
さらに、このマット部22の一対の側面部クッション24，25それぞれの上面26には、断面直角三角形状のクッション部としての一対のクッション材31，32が上方に向けて一体的に突出して設けられている。これら一対のクッション材31，32は、これらクッション材31，32上に療養者Ｐが座ると潰れる程度の所定の硬さを有する弾性材であって、マット部22の上面26の幅方向の両側部において、このマット部22の長手方向に沿って取り付けられている。また、これら一対のクッション材31，32は、これら一対のクッション材31，32それぞれの平面状の底辺部33を側面部クッション24，25の上面26に設置させて固定され、これら一対のクッション材31，32それぞれの平面状の斜辺部34を対向する内側に向け、これら一対のクッション材31，32の平面状の側辺部35をマット部22の幅方向の両側縁部に対して上下方向に沿わせた状態で取り付けられている。
【００２７】
ここで、これら一対のクッション材31，32は、これら一対のクッション材31，32の底辺部34の幅寸法が、これら一対のクッション材31，32の側辺部35の幅寸法より大きく形成されている。具体的に、これら一対のクッション材は、例えば底辺部33の幅寸法を１９５ｍｍとし、側辺部35の幅寸法を７０ｍｍとした断面直角三角形状に形成されている。
【００２８】
また、これらクッション材31，32の斜辺部35には、マット部22の幅方向の縁部から、このマット部22の幅方向の中心方向に向けて下方に傾斜した傾斜面36が形成されている。さらに、これらクッション材31，32の側辺部35の高さ寸法は、療養者Ｐの前後方向の幅寸法、例えば７０ｍｍ以上２５０ｍｍ以下程度に設定されている。
【００２９】
そして、これらクッション材31，32は、図１に示すように、マット部22の硬さをＡとし、これらクッション材31，32の幅方向の中心位置Ｃの上下方向に沿った中心線Ｌより内側の部分の硬さをＢとし、これらクッション材31，32の中心線Ｌより外側である両側の部分の硬さをＣとした場合に、Ｂ＞Ａ＞Ｃの関係が成り立つように構成されている。
【００３０】
さらに、これらクッション材31，32のそれぞれは、主に療養者Ｐの胸部、すなわち胴体部Ｂを支持する胴体ガード部41と、主に療養者Ｐの頭部Ｈを支持する頭ガード部42と、主に療養者Ｐの腰部、すなわち臀部Ｒを支持する臀ガード部43との３つに分割されて構成されている。
【００３１】
具体的に、胴体ガード部41は、療養用ベッド１の背凭れプレート７上に設置される中間部材であって、この背凭れプレート７の長さ寸法に等しい長さ寸法に形成されている。また、頭ガード部42は、胴体ガード部41の療養者Ｐの頭側に位置して療養用ベッド１の頭プレート６上に設置される上側部材であって、この頭プレート６の長さ寸法に等しい長さ寸法に形成されている。さらに、臀ガード部43は、胴体ガード部41の療養者Ｐの臀側に位置して療養用ベッド１の臀プレート８上に設置される下側部材であって、この臀プレート８の長さ寸法に等しい長さ寸法に形成されている。
【００３２】
ここで、頭ガード部42および臀ガード部43は、互いに等しい高さ寸法であって、胴体ガード部41の高さ寸法より大きな高さ寸法に形成されている。すなわち、これら頭ガード部42および臀ガード部43は、療養用ベッドマット21上に寝ている療養者Ｐの側部からの落下を防止するサポート機能を、この療養用ベッドマット21の側部からの介護のしやすさより優先させるために、胴体ガード部41より若干高く形成されている。言い換えると、この胴体ガード部41は、療養用ベッドマット21の側部からの介護のしやすさと、この胴体ガード部41を介した療養用ベッドマット21上への療養者Ｐの乗り込みやすさとを優先させるために、頭ガード部42および臀ガード部43より若干低く形成されている。
【００３３】
さらに、これら胴体ガード部41、頭ガード部42および臀ガード部43については、それぞれ同じ硬さに構成されている。
【００３４】
次に、上記一実施の形態の療養用ベッドマットを設置した療養用ベッドの作用について説明する。
【００３５】
まず、この療養用ベッド１の背凭れプレート７または脚載せプレート９が水平な状態でない場合には、これら背凭れプレート７および脚載せプレート９を水平な状態にする。
【００３６】
この状態で、この療養用ベッド１のベッド面２に療養用ベッドマット21を敷いて設置する。このとき、この療養用ベッドマット21の胴体ガード部41を療養用ベッド１の背凭れプレート７上に位置させて固定するとともに、この療養用ベッドマット21の頭ガード部42を療養用ベッド１の頭プレート６上に位置させて固定し、この療養用ベッドマット21の臀ガード部43を療養用ベッド１の脚載せプレート９上に位置させて固定する。
【００３７】
そして、この療養用ベッドマット21上に療養者Ｐを寝かせる場合には、この療養用ベッドマット21の一方のクッション材31の高さが比較的低い胴体ガード部41上に療養者Ｐを座らせ、この胴体ガード部41をつぶす。
【００３８】
この状態で、この療養者Ｐを療養用ベッドマット21のマット部22上へと移動させて、この療養用ベッドマット21の一対のクッション材31，32の間に療養者Ｐを寝かせる。この結果、これら一対のクッション材31，32にて療養者Ｐの療養用ベッドマット21からの落下を防止した状態となる。
【００３９】
このとき、この療養者Ｐの胴体部Ｂを背凭れプレート７上に位置させるとともに、この療養者Ｐの臀部Ｒから大腿部Ｔまでの部分を臀プレート８上に位置させ、この療養者Ｐの脛部Ｓから足部Ｆまでの部分を脚載せプレート９上に位置させる。
【００４０】
ここで、療養用ベッドマット21に寝ている療養者Ｐの落下が、この療養用ベッドマット21の両側部に設けられている一対のクッション材31，32によって防止されるから、この療養用ベッドマット21を設置した療養用ベッド１の両側には、落下防止用の図示しない金属製の柵などを取り付けなくてもよい。
【００４１】
さらに、療養用ベッド１上に設置した療養用ベッドマット21に寝ている療養者Ｐを介護などする場合には、この療養用ベッドマット21の一対のクッション材31，32のうちの高さが比較的低い胴体ガード部41を必要に応じてつぶすなどして、この胴体ガード部41を介して療養者Ｐを介護などする。
【００４２】
次いで、この療養用ベッド１上の療養者Ｐの上半身を起こす場合には、図３に示すように、背凭れプレート７の頭側を上方に回動させてリクライニング式に起き上がらせる。
【００４３】
さらに、この療養者Ｐが、この療養用ベッド１から何らかの理由で立ち上がったり離れたりしたい場合には、背凭れプレート７を略立ち上がった状態になるまで回動させて、療養者Ｐの上半身を略垂直な状態に起こす。
【００４４】
この状態で、脛プレート14が水平な状態から垂直な状態となるまで、脚載せプレート９を駆動させ、この脛プレート14の回動に伴って療養者Ｐの膝から下の部分、すなわち脛部Ｓが下方へ曲がった状態にする。
【００４５】
同時に、この脛プレート14の回動に伴って足プレート15が回動し、この足プレート15上に療養者Ｐの足裏Ｏが設置される位置まで、この足プレート15が徐々に折り曲がる。
【００４６】
上述したように、上記一実施の形態では、療養用ベッド１のベッド面２上に設置する療養用ベッドマット21の幅方向の両側部に断面直角三角形状の一対のクッション材31，32を設けた。
【００４７】
この結果、これら一対のクッション材31，32にて療養用ベッドマット21の側部からの療養者Ｐの落下を防止できるから、この療養用ベッドマット21を療養用ベッド１のベッド面２に設置することにより、この療養用ベッド１の側部に落下防止用の金属製の柵を設置する必要性を無くすことができる。
【００４８】
このため、この金属製の柵を療養用ベッド１の側部に設置することによる、療養者Ｐが療養ベッド１上に入るときに金属製の柵を取り外す必要性や、この金属製の柵があることによる療養者Ｐの介護しにくさを解消できる。
【００４９】
さらに、これら一対のクッション材31，32を、療養者Ｐの胴体部Ｂを支持する胴体ガード部41と、療養者Ｐの頭部Ｈを支持する頭ガード部42と、療養者Ｐの臀部Ｒを支持する臀ガード部43とに分割して構成した。そして、これら一対のクッション材31，32の頭ガード部42および臀ガード部43を、互いに等しい高さ寸法とし、胴体ガード部41の高さ寸法より大きな高さ寸法とした。
【００５０】
この結果、これら頭ガード部42および臀ガード部43の高さが比較的高いことにより、これら頭ガード部42および臀ガード部43により、療養用ベッドマット21上に寝ている療養者Ｐの側部からの落下の防止を確実にサポートできる。
【００５１】
同時に、胴体ガード部41の高さが比較的低いことにより、この胴体ガード部41が介護する人の邪魔になりにくいから、この胴体ガード部41を介した療養用ベッドマット21の側部からの介護等のしやすさを確保できる。また、この胴体ガード部41上に療養者Ｐが座ってつぶすなどすることにより、この療養者Ｐが座りながら療養用ベッドマット21上に入ることができるから、この療養用ベッドマット21上への療養者Ｐの乗り込みやすさを確保できる。
【００５２】
さらに、マット部22の硬さをＡとし、一対のクッション材31，32の幅方向の中心線Ｌより内側の部分の硬さをＢとし、これら一対のクッション材31，32の中心線Ｌより外側である両側の部分の硬さをＣとした場合に、Ｂ＞Ａ＞Ｃの関係が成り立つように構成した。
【００５３】
この結果、これら一対のクッション材31，32の幅方向の中心線Ｌより内側の部分により療養用ベッドマット21の側部からの療養者Ｐの落下を確実に防止できるとともに、これら一対のクッション材31，32の幅方向の中心線Ｌより外側の部分が比較的やわらかく容易につぶせることから、これら一対のクッション材31，32を介した療養者Ｐの介護が容易にできる。
【００５４】
また、療養用ベッドマッド21のマット部22を、中央部クッション23と、一対の側面部クッション24，25とに分割し、この中央部クッション23の両側に一対の側面部クッション24，25を設置させ、これら一対の側面部クッション24，25上のそれぞれにクッション材31，32を設けた構成とした。
【００５５】
この結果、この療養用ベッドマット21を療養用ベッド１のベッド面２に設置させた状態で、この療養用ベッド１の背凭れプレート７の頭側を上方に向けて回動させてリクライニングさせた際に、この背凭れプレート７とともに療養用ベッドマット21の中央部クッション23の頭側の部分をリクライニングできる。
【００５６】
さらに、この療養用ベッドマット21を療養用ベッド１のベッド面２に設置させた状態で、この療養用ベッド１の脚載せプレート９の脛プレート14を下方に向けて回動させ、この脚載せプレート９の足プレート15を下方に向けて移動させた際に、これら脛プレート14および足プレート15とともに療養用ベッドマット21の中央部クッション23の足側の部分が移動する。
【００５７】
したがって、療養用ベッドマット21を療養用ベッド１のベッド面２に設置したままの状態で、この療養用ベッド１の背凭れプレート７をリクライニングでき、この療養用ベッド１の脚載せプレート９を移動できる。
【００５８】
よって、この療養用ベッドマット21を療養用ベッド１のベッド面２に設置したままの状態で、この療養用ベッドマット21上に寝ている療養者Ｐを寝ている状態から、椅子に腰掛けている状態に近い姿勢にできるため、この療養者Ｐが容易に立ち上がれる状態にできる。
【００５９】
このため、この療養者Ｐは、療養用ベッド１から立ち上がって、この療養用ベッド１から手摺につかまりながら歩いたり、近くの車椅子などに乗り移ったりするなどが容易に可能となるので、この療養用ベッド１から離れることが容易にできる。
【００６０】
なお、上記一実施の形態では、療養用ベッドマット21のマット部22で、療養者Ｐの頭部Ｈから胴体部Ｂ、臀部Ｒ、大腿部Ｔ、脛部Ｓおよび足部Ｆまでを支持する構成としたが、このマット部22としては、療養者Ｐの少なくとも頭部Ｈから胴体部Ｂおよび臀部Ｒまでを支持する大きさであれば、どのような大きさであってもよい。
【００６１】
また、この療養用ベッドマット21の一対のクッション材31，32の胴体ガード部41、頭ガード部42および臀ガード部43それぞれの硬さを同じにしたが、これら胴体ガード部41、頭ガード部42および臀ガード部43の硬さを、療養者Ｐの要望に応じて変更してもよい。
【図面の簡単な説明】
【００６２】
【図１】本発明の療養用ベッドマットを示す説明正面図である。
【図２】同上療養用ベッドマットを設置した療養用ベッドの起き上がり状態を示す説明側面図である。
【図３】同上療養用ベッドマットを設置した療養用ベッドの水平状態を示す説明側面図である。
【符号の説明】
【００６３】
21    療養用ベッドマット
22    マット部
31，32    クッション部としてのクッション材
41    中間部材としての胴体ガード部
42    上側部材としての頭ガード部
43    下側部材としての臀ガード部
Ｐ    使用者としての療養者
Ｈ    頭部
Ｂ    胴体部
Ｒ    臀部
Ｃ    中心位置
【図１】
2009061202.tif 000003
【図２】
2009061202.tif 000004
【図３】
2009061202.tif 000005